(57)【特許請求の範囲】
【請求項１】
開口を形成する周壁と、底壁と、を有するボックス本体と、該ボックス本体の開口端に外方に張り出して設けられたフランジ部と、を備え、軟質材からなる気密ボックスであって、
前記ボックス本体の周壁は、該周壁が前記底壁側から挿入されて収容される収容体の被挿入口の内周面に当接または近接して該被挿入口内における該周壁の挿入位置を定めるべく該周壁の前記内周面に沿う形状を成す部分の外面から突出する突条部が、前記ボックス本体の開口側から底壁側に向けて延びるように設けられていることを特徴とする気密ボックス。
【請求項２】
前記突条部は、前記ボックス本体の周壁の周方向の一部に形成された奥行き方向に延びる剛性部の近傍に設けられていることを特徴とする請求項１に記載の気密ボックス。
【請求項３】
前記突条部は、前記収容体の被挿入口の内周面に圧接されて自身の外方への突出長が変位する脆弱部を有することを特徴とする請求項１または請求項２に記載の気密ボックス。
【発明の詳細な説明】
【技術分野】
【０００１】
本発明は、軟質合成樹脂材やゴム材等の軟質材からなり、本体が壁裏の配線ボックス等の開口内に内挿されるとともにフランジ部が壁表側面に密接し、気密や防塵、防音等に使用される気密ボックスに関するものである。
【背景技術】
【０００２】
壁裏側に配設された配線ボックスや塗り代カバーの開口あるいは壁に形成された貫通孔の開口などは、気密や防塵、防音等のために、軟質合成樹脂材やゴム材等の軟質材からなり、壁表側面に密接するフランジ部を備えた気密ボックスが使用されている。気密ボックスは、その開口の前面側に配設される配線器具取付枠等の一対の取付孔に取付ねじが挿通され、その取付ねじが気密ボックスのフランジ部に設けられた一対の挿通孔を挿通し、更に配線ボックス等の対応する箇所に設けられたねじ孔に取付けられることにより、配線器具取付枠等と壁材とに挟持されて取付けられる。この種の気密ボックスに関する技術は例えば特許文献１や特許文献２に記載されている。
【先行技術文献】
【特許文献】
【０００３】
【特許文献１】特開２０１１−６１８９７号公報
【特許文献２】特開２０１４−２２２９６５号公報
【発明の概要】
【発明が解決しようとする課題】
【０００４】
ところで、壁裏の配線ボックスの開口は、その内部に気密ボックスの本体の周壁を挿入するので、気密ボックスの周壁の外形寸法より僅かに大きく形成されている。したがって、気密ボックスの周壁の外面と配線ボックスの開口の周縁との間には若干隙間を生じており、気密ボックスの周壁は配線ボックスの開口の平面内で上下左右方向に少し移動し得る状態にあるから、フランジ部の挿通孔と配線ボックス等のねじ孔とは位置ずれし易い。気密ボックスは、特に、壁表側から取付ねじを壁裏に配設されている配線ボックスのねじ孔に挿入しねじ止めすることになり、狭い空間での取付作業となることから、フランジ部の挿通孔と配線ボックス等のねじ孔とが上下左右等の方向に僅かでもずれていると取付ねじを配線ボックスのねじ孔の位置に合わせてねじ止めするのはかなりむずかしく面倒な作業となっていた。
【０００５】
そこで、フランジ部の挿通孔と配線ボックス等のねじ孔とを位置決めする手段を設けることが考えられる。位置決め手段として、気密ボックスの本体の周壁に、配線ボックスの開口の大きさに合わせてその内周面に当接する突部を設け、配線ボックスの開口内での気密ボックスの周壁の自由な移動を規制して位置決めすることが考えられる。この場合、配線ボックスの開口は製造上大きさにばらつきを生じるため、位置決め手段としての突部は、普通には、配線ボックスの開口における寸法上のばらつきの中心を基準置としてこれに一致する突出長さに設定される。
【０００６】
ところが、気密ボックスの周壁の突部の突出長さを上述の基準値に設定すると、配線ボックスの開口がそれより小さい場合には、当然気密ボックスの突部は、先端が配線ボックスの開口より外側にはみ出すことになるから、周壁を配線ボックスの開口内に挿入するとき、その開口内に強制的に押し込められる。それにより、配線ボックスの開口の内周面から大きな押圧力を受けるから、軟質材からなる気密ボックスの周壁の突部の周辺部は大きく変形して本体全体が大きく撓み変形し、フランジ部もゆがむ。フランジ部がゆがんで撓み変形すると、フランジ部と壁表側面との間に隙間を生ずるから、気密性が失われてしまう。
【０００７】
なお、その際、特許文献２に記載のように、インサート成形等によってフランジ部に芯材を一体化してフランジ部が撓み変形するのを強制的に防止することも考えられるが、そのためにフランジ部に芯材を別途に設ける必要があり、芯材を一体化する工程が増え、コスト高ともなる。
【０００８】
そこで、本発明は、壁裏に配設された配線ボックス等の収容体の被挿入口内における本体の周壁の挿入位置を定め、それにより、収容体に作業性良く組み付けることができ、更には、本体の周壁の位置を定めることに伴って収容体への組付時にフランジ部が撓み変形して気密性が損なわれるのを防止できる気密ボックスの提供を課題とするものである。
【課題を解決するための手段】
【０００９】
請求項１の気密ボックスは、開口を形成する周壁と、底壁と、を有するボックス本体と、該ボックス本体の開口端に外方に張り出して設けられたフランジ部と、を備え、軟質材からなるものであって、前記ボックス本体の周壁は、該周壁が前記底壁側から挿入されて収容される収容体の被挿入口の内周面に当接または近接して該被挿入口内における該周壁の挿入位置を定めるべく該周壁の前記内周面に沿う形状を成す部分の外面から突出する突条部が、前記ボックス本体の開口側から底壁側に向けて延びるように設けられている。
ここで、突条部には、突出部分自体の他それに関連した周辺部分も含まれる。
収容体とは、ボックス本体の周壁が底壁側から挿入されて収容されるものであり、具体的には、配線ボックスや、配線ボックスに取着された塗り代カバー、壁に形成された貫通孔などが該当する。
被挿入口は、具体的には、配線ボックスの開口や、塗り代カバーの開口、壁に形成された貫通孔の開口などが該当する。
【００１０】
請求項２の気密ボックスは、特に、突条部が、ボックス本体の周壁の周方向の一部に形成された奥行き方向に延びる剛性部の近傍に設けられている。
ここで、剛性部は、平面同士、曲面同士、平面と曲面などの二面が交差する角部が該当する他、補強リブ等が設けられて厚肉となっている箇所などが該当し、外力によって変形しにくい箇所を意味する。
また、剛性部の近傍とは、突条部が収容体の被挿入口の内周面に当接することにより内側に変形しても剛性部の作用により突条部の変形による影響が及ばず、フランジ部が撓み変形するまでには至らない、剛性部の周辺部分をいう。
【００１１】
請求項３の気密ボックスは、特に、突条部が、収容体の被挿入口の内周面に圧接されて自身の外方への突出長が変位する脆弱部を有する。
ここで、脆弱部は、両側面が薄肉の中空に形成された部分や、周壁より薄肉に形成されている部分等が該当する。
【発明の効果】
【００１２】
請求項１の発明は、ボックス本体の周壁に、収容体の被挿入口の内周面に当接または近接して被挿入口内における周壁の挿入位置を定める突条部が設けられているので、周壁を収容体の被挿入口に挿入する際に周壁が被挿入口において位置決めされる結果、気密ボックスを作業性良く収容体に組付けることができる。ここで、壁裏に配設された収容体は壁面の厚さによって気密ボックスのフランジ部までの距離が異なるが、気密ボックスの突条部は周壁の奥行き方向に沿って設けられているので、突条部は奥行き方向のいずれかの位置で収容体の被挿入口の内周面に当接または近接させることができ、したがって、周壁を確実に位置決めすることができる。
【００１３】
請求項２の発明は、特に、突条部が、ボックス本体の周壁の周方向の一部に形成された奥行き方向に延びる剛性部の近傍に設けられているので、気密ボックスを収容体に組付ける時にフランジ部が撓み変形するのを防止することができる。すなわち、請求項１に記載のように、周壁には位置決め手段としての突条部が設けられているが、収容体の被挿入口は製造後の大きさにばらつきを生ずるため、突条部の突出長さが収容体の基準の大きさの被挿入口に対応して設定されている状態において、実際に組み付けられる収容体の被挿入口が少し小さめに形成されていると、突条部は被挿入口内に強制的に押し込められ、被挿入口の内周面によって内側に押圧されてボックス本体が大きく撓み変形し、フランジ部がゆがんだりする。しかし、請求項２の発明では、突条部は周壁における剛性部の近傍に設けられているため、突条部の周辺は変形するものの、剛性部の作用によって、突条部の変形による影響がフランジ部にまで及ぶのが阻止される。その結果、気密ボックスを収容体に組付けるときにフランジ部が撓み変形するのを防止できる。これにより、壁表側面とフランジ部との間に隙間が生じるのを防ぐことができ、気密ボックスによる気密性が損なわれるのを防止できる。
【００１４】
請求項３の発明は、特に、突条部が、自身の外方への突出長が変位する脆弱部を有するので、被挿入口が小さめに形成されているときには、突条部は被挿入口の内周面によって内側に押圧された際に内側に無理なく後退する。このため、被挿入口が小さめに形成されているときでも、気密ボックスを収容体に組付ける際に、突条部の突出長が変位することによってボックス本体が大きく撓み変形するのが抑えられるから、フランジ部が撓み変形して壁表側面とフランジ部との間に隙間が生じるのをより確実に防止できる。
【図面の簡単な説明】
【００１５】
【図１】壁面への感知器の設置において本発明の実施形態の気密ボックスが取付けられる配置を示す分解斜視図である。
【図２】図１の気密ボックスが取付けられた状態を示す縦断面図である。
【図３】図１の別のボックスカバーを示し、(a)は斜視図、(b)は縦断面図である。
【図４】図１の気密ボックスを示し、(a)は開口の前面側から見た斜視図、(b)は背面側から見た斜視図である。
【図５】同じく図１の気密ボックスを示し、(a)は正面図、(b)は右側面図、(c)は背面図、(d)は(a)のＡ−Ａ切断線による断面図、(e)は(b)のＢ−Ｂ切断線による断面図である。
【図６】図１のボックスカバーの開口における気密ボックスの周壁の挿入位置を示す断面図である。
【図７】図６のＣ部拡大図である。
【図８】図７の突条部の変形例を示す要部断面図である。
【図９】図４の気密ボックスの剛性部及び突条部の別例を示し、(a)は斜視図、(b)は平面図である。
【図１０】図９の剛性部及び突条部を示し、(a)は図９(b)のＤ−Ｄ切断線による断面図、(b)は要部断面図である。
【図１１】図４の気密ボックスのフランジ部の変形例を示す斜視図である。
【発明を実施するための形態】
【００１６】
以下、本発明の実施形態の気密ボックスを図面に基づいて説明する。天井壁や室内壁等の壁面には壁表側から配線スイッチ等の配線器具や感知器などが取付けられる。本実施形態では、感知器が室内壁の壁面に取付けられる場合を例示する。
【００１７】
図１及び図２には、壁裏には配線ボックス３１及びこの開口３２に取付けられたボックスカバー４１が配設され、壁裏空間内に配線されたケーブルが配線ボックス３１を中継して壁表の感知器５１に接続される構成が示されている。配線ボックス３１及びボックスカバー４１と感知器５１との間には、壁面６１の内外間での気密や防塵、防音のために気密ボックス１が取付けられている。気密ボックス１は、ボックス本体１１とフランジ部２１とで構成され、ボックス本体１１が壁裏のボックスカバー４１の開口４２内及び配線ボックス３１の開口３２内に挿入され、フランジ部２１が壁表側面に密接することにより壁面６１の内外間を気密状態にする。以下、各構成部材について説明する。
【００１８】
まず、配線ボックス３１は、図１に示すように、側壁３３と底壁３４とを有し一面に開口３２を有する矩形の有底箱状に形成され、合成樹脂または金属板で形成されている。配線ボックス３１の側壁３３及び底壁３４には打ち抜くことによって開孔し、ケーブルが挿入されるケーブル挿通孔３５が設けられている。開口３２の周縁４箇所には板状の突出片３６が側壁３３の面に直交して内方に突設されており、その中央部にはビスが螺着されるビス孔３７が形成されている。
【００１９】
配線ボックス３１の開口３２の前面に配置されるボックスカバー４１は、合成樹脂材や金属材を使用して、図１及び図６に示すように、矩形平板状に形成され、その中央にはケーブルが挿通される円形の開口４２が形成されている。開口４２の内周面４３の上下端部には内方に突出する略半円板状の突出部４４が一対設けられ、各突出部４４の中央には取付ねじ７１が螺着されるねじ孔４５が設けられている。各ねじ孔４５の中心は、図１に示すように、ボックスカバー４１の上下方向の中心線Ｌ１上に位置している。そして、上下一対のねじ孔４５，４５間の中間点は後述する、ボックス本体１１の奥行き方向の中心軸Ｏ上に位置している。
【００２０】
また、ボックスカバー４１の４隅には配線ボックス３１のビス孔３７に対応する位置に切欠孔４６や長孔４７が設けられており、ビスをこれらの切欠孔４６や長孔４７に挿通し配線ボックス３１のビス孔３７に螺着することにより、ボックスカバー４１を配線ボックス３１の開口３２側に固定できるようになっている。ボックスカバー４１は配線ボックス３１と一体化されることにより、配線ボックス３１とともに請求項の収容体を構成する。また、配線ボックス３１及びボックスカバー４１の開口は請求項の被挿入口を構成する。
【００２１】
なお、配線ボックス３１の前面には、矩形平板状のボックスカバー４１に代えて、図３に示すボックスカバー４１を固定してもよい。図３のボックスカバー４１は、矩形平板状に形成されるとともに、一面側における中央の開口４２の周縁には全周に至って平面に直交して円管状の突出リング４８が立設されており、平面部分の４隅部には長孔４７が形成されている。
【００２２】
本実施形態では、各ボックスカバー４１の中央の開口４２が７０ｍｍである場合を例示する。ここで、ボックスカバー４１が合成樹脂材で形成された場合は、成形時の熱収縮等による寸法上のばらつきを生じ、また、ボックスカバー４１が金属材で形成された場合は、絞りなどプレス加工に伴う寸法上のばらつきを生する。本実施形態のボックスカバー４１は、基準値が７０．０ｍｍで、製品の寸法上のばらつきが±０．４ｍｍの範囲にあるとして説明する。
【００２３】
一方、本願発明に係る気密ボックス１は、軟質合成樹脂やゴム等の軟質材で形成されており、ボックス本体１１は、図４及び図５に示すように、一端に開口１４を形成する筒状の周壁１２と、周壁１２の他端を閉塞する底壁１３とで形成されている。周壁１２は平行する一対の平面が上下に形成され、互いに対向する一対の円弧面が左右に形成され、縦断面は陸上競技のトラックや小判に近い形状をなしている。底壁１３には複数の凹部１５が形成されており、これらの凹部１５は薄肉に形成されていてケーブルの先端で突き破り可能となっている。ケーブルで突き破ってこれを挿通されたときのこの部分の気密性を確保するためである。なお、必要に応じてケーブルを挿通させた後突き破られた孔の周辺にシール剤等を塗布してもよい。
【００２４】
ボックス本体１１の周壁１２において、周方向の一部である、上下の平行面と左右の一対の円弧面とが交差する４箇所の角部１６の奥行き方向すなわち開口１４から底壁１３に向かう方向に延びる部分は、剛性が大きく外力によって撓み変形しにくい部分となっている。この角部１６で形成された剛性の大きい部分は、請求項の剛性部を構成している。
【００２５】
そして、各剛性部から僅かに離間した近傍には奥行き方向に沿って円弧状の一定断面形状を有する突条部１７が計４個設けられている。各突条部１７は、周壁１２の左右一対の円弧面上にあって、突条部１７の先端すなわち最外部１７ａを結ぶ円は直径が７０．０ｍｍに形成されている。突条部１７は４個とも同一の断面形状に形成されており、ボックス本体１１の奥行き方向に向かう図４及び図６に示した中心軸Ｏから突条部１７の最外部１７ａまでの図７に示した距離Ｒは４個とも全て同一に形成されている。
【００２６】
ここで、剛性部の近傍は、剛性部の周辺であって突条部１７が外力によって内側に撓み変形しても剛性部の作用により突条部１７の撓み変形による影響がフランジ部２１にまで波及してこれを撓み変形させるには至らない範囲の部分である。ここで、周縁の剛性部は角部１６が奥行き方向の全体に至って形成されているので、周縁の奥行き方向に延びる突条部１７は、常に剛性部の近傍に位置することになる。
【００２７】
また、本実施形態におけるボックスカバー４１の開口４２は、前述のように、基準値が７０．０ｍｍで寸法上のばらつきが±０．４ｍｍであるので、ボックスカバー４１の開口４２におけるボックス本体１１の周壁１２の位置決めを行なうために、４箇所の突条部１７の最外部１７ａを通って形成される円の直径は、ボックスカバー４１の開口４２の基準値に対応して、前述のように、７０．０ｍｍに形成されている。したがって、実際に製造されたボックスカバー４１の開口４２の直径が丁度７０．０ｍｍであって内周面４３が図７の実線で示す位置にあるときは、突条部１７の最外部１７ａの位置は、ボックスカバー４１の開口４２の内周面４３の位置と一致することになる。
【００２８】
そして、実際に製造されたボックスカバー４１の開口４２の直径が基準値の７０．０ｍｍを超えて＋０．４ｍｍまでの範囲にあり、内周面４３が図７の一点鎖線で示す位置にあるるときは、突条部１７の最外部１７ａとボックスカバー４１の開口４２の内周面４３との間には極く僅かな隙間を生ずる。
【００２９】
一方、実際に製造されたボックスカバー４１の開口４２の直径が基準値の７０．０ｍｍより小さく−０．４ｍｍまでの範囲にあり、内周面４３が図７の二点鎖線で示す位置にあるときは、突条部１７の最外部１７ａの位置は、ボックスカバー４１の開口４２の内周面４３より外側にはみ出ることになるので、周壁１２を挿入するときには突条部１７はボックスカバー４１の開口４２内に強制的に押し込まれ、開口４２の内周面４３によって押圧される。そして、突条部１７を含むその周縁部分の周壁１２は内側に撓み変形し、突条部１７の最外部１７ａは内側に後退する。
【００３０】
次に、フランジ部２１は、図４及び図５に示すように、リング板状の平面で形成され、ボックス本体１１の周壁１２の開口端に外方に鍔状に張り出して設けられており、中央部は周壁１２の開口１４となっている。フランジ部２１の上下位置には略小判形に凹んだ薄肉の凹み部２２が一対形成されており、その底面には取付ねじ７１が挿通可能な挿通孔２３が形成されている。各挿通孔２３の中心は、図４に示すように、フランジ部２１の上下方向の中心線Ｌ２上に位置している。そして、上下一対の挿通孔２３の中間点はボックス本体１１の奥行き方向に向かう図６に示した中心軸Ｏ上に位置する。更には、上下一対の挿通孔２３の間隔は、ボックスカバー４１の上下一対のねじ孔４５の間隔と同一に形成されている。
【００３１】
また、フランジ部２１の壁面６１と対向する側の面には、一定幅の浅い円環状の凹溝２４が形成されており、この凹溝２４には密接性を更に高めるために円環状薄板の軟質合成樹脂材やゴム材からなるパッキング２５が嵌め込まれている。但し、パッキング２５は必ずしも要するものではなく、気密性をより高めるなどの必要時に取付ければよい。
【００３２】
次に、壁に設置される感知器５１は、図１乃至図３に示すように、感知器本体５２と、感知器本体５２を取付けるための器具枠５３とからなる。器具枠５３は取付ねじ７１が取付けられる取付孔５４が設けられている。
【００３３】
ここで、ボックスカバー４１のねじ孔４５に対するフランジ部２１の挿通孔２３の位置関連について説明する。周壁１２の４つの突条部１７の最外部１７ａを通る円がボックスカバー４１の開口４２と同一かこれより極く僅かに大きい場合には、周壁１２をボックスカバー４１の開口４２内に挿入し配置したとき、周壁１２の４つの突条部１７の最外部１７ａは全て均等にボックスカバー４１の開口４２の内周面４３に当接しまたは内周面４３から均等に押圧されることになる。また、突条部１７の最外部１７ａを通る円がボックスカバー４１の開口４２より極く僅かに小さく、かつ、両者の円の中心が同一の位置にある場合は、突条部１７の最外部１７ａはボックスカバー４１の内周面４３から均等に僅かに離間する。したがって、いずれの場合も、ボックスカバー４１の開口４２への挿入時に、周壁１２は上下左右方向への移動が突条部１７によって規制される。
【００３４】
更に、周方向については、周壁１２を挿入していくときに、フランジ部２１の挿通孔２３が円周方向においてボックスカバー４１のねじ孔４５と同位相にある場合は、これらの挿通孔２３とねじ孔４５とはボックス本体１１の中心軸Ｏと平行な同一線上に位置することになる。したがって、この場合、ボックスカバー４１のねじ孔４５と気密ボックス１のフランジ部２１の挿通孔２３とは孔位置が一致するから、気密ボックス１のフランジ部２１の挿通孔２３を挿通させた取付ねじ７１をボックスカバー４１のねじ孔４５に正確に位置合わせしてそのまま簡単に挿入しねじ止めすることができる。
【００３５】
また、周壁１２を挿入していくときに、フランジ部２１の挿通孔２３が円周方向においてボックスカバー４１のねじ孔４５と少しずれた位相に位置した場合は、気密ボックス１のフランジ部２１の挿通孔２３とボックスカバー４１のねじ孔４５とは円周方向において孔位置は完全には一致しないが、その場合は、ボックス本体１１の中心軸Ｏを中心に周壁１２を左右いずれかの方向に回動させ、突条部１７をボックスカバー４１の開口４２の内周面４３に摺接させながらあるいは内周面に沿って移動させながら位置合わせすればよい。これにより、フランジ部２１の挿通孔２３の孔位置は簡単に調整されてボックスカバー４１のねじ孔４５の位置と合致し位置決めされる。これらのことから、周壁１２の突条部１７は、ボックスカバー４１の開口４２内における周壁１２の挿入位置を定める位置決め手段となる。
【００３６】
次に、壁面６１への感知器５１及び本実施形態の気密ボックス１の取付けについて説明する。
予め、壁裏空間に配線されているケーブルの先端部をケーブル挿通孔３５から配線ボックス３１内に引き込んでおき、配線ボックス３１の開口３２には前面側からボックスカバー４１を取付けておく。ボックスカバー４１の取付けは、ボックスカバー４１の４隅の切欠孔４６や長孔４７にビスを挿通し、配線ボックス３１の開口３２の周縁に設けられた４箇所のビス孔３７に螺着することにより行なうことができる。併せて、図示しないが、配線ボックス３１を固定ねじを介して壁裏の柱に固定する。次いで、壁穴６２から配線ボックス３１の開口３２及びボックスカバー４１の開口４２が望まれるようにボックスカバー４１の前面に壁材を当接させて組み立てるとともにケーブルを壁穴６２内から壁表側に所定長引き出す。
【００３７】
次に、ケーブルの先端で気密ボックス１の凹部１５を突き破った後、ケーブルを器具枠５３の中央の孔に通し感知器５１に結線する。次いで、壁表側から、感知器５１の器具枠５３の前面側から一対の取付孔５４に取付ねじ７１を挿通し、更に取付ねじ７１を気密ボックス１のフランジ部２１の一対の挿通孔２３に挿通させた後、感知器５１の器具枠５３とともに気密ボックス１を壁穴６２に向けて移動させ、気密ボックス１のボックス本体１１の周壁１２を壁穴６２に挿入し更にボックスカバー４１の開口４２及び配線ボックス３１の開口３２内に挿入する。そして、取付ねじ７１をボックスカバー４１の開口４２の一対のねじ孔４５に締め付ける。
【００３８】
ここで、気密ボックス１には周壁１２の角部１６の剛性部の近傍に突条部１７が形成されているので、上記取付作業において、現物のボックスカバー４１の開口４２の直径が基準値の７０．０ｍｍの大きさに形成されている場合は、４個全ての突条部１７の最外部１７ａがボックスカバー４１の開口４２の内周面４３に均等に当接することにより、その開口４２内における周壁１２の挿入位置が定められる。これによって位置決めされた後は、感知器５１の器具枠５３の取付孔５４を挿通した取付ねじ７１が挿入される気密ボックス１の挿通孔２３の位置とボックスカバー４１のねじ孔４５の位置とが一致するので、取付ねじ７１をそのまま円滑にボックスカバー４１のねじ孔４５に挿入し締め付けることができる。
【００３９】
また、現物のボックスカバー４１の開口４２の直径が基準値の７０．０ｍｍを超えて＋０．４ｍｍの範囲内にある場合は、突条部１７の最外部１７ａとボックスカバー４１の開口４２の内周面４３との間に隙間を生ずるため、ボックスカバー４１の開口４２が基準値の７０．０ｍｍであるときのように正確に一致することはないこともあるものの、隙間は極く僅かであるため、開口４２内において周壁１２は同様に位置決めされ易い。このため、取付ねじ７１をそのまま円滑にボックスカバー４１のねじ孔４５に挿入し締め付けることができる。
【００４０】
一方、ボックスカバー４１の開口４２の直径が基準値の７０．０ｍｍより小さく−０．４ｍｍの範囲内にある場合は、ボックス本体１１の周壁１２をボックスカバー４１の開口４２内に挿入していくとき、ボックスカバー４１の開口４２の直径は、４個の突条部１７の最外部１７ａを結ぶ円の直径より小さいので、突条部１７の最外部１７ａはボックスカバー４１の開口４２の周縁の外側にはみ出ることになる。
【００４１】
しかし、突条部１７は、軟質材で形成されているとともに周壁１２の角部１６の剛性部から離間した近傍に設けられているので、ボックスカバー４１の開口４２の内周面４３に過剰に当接し内周面４３によって押圧されて内側すなわちボックス本体１１内の中心側に向かって弾性的に撓み変形しつつ内周面４３内に後退し、ボックス本体１１はボックスカバー４１の開口４２内に挿入され収容される。
【００４２】
なお、壁裏に配設されたボックスカバー４１は壁面６１の厚さによって気密ボックス１のフランジ部２１までの距離が異なるが、気密ボックス１の突条部１７は周壁１２の奥行き方向に沿って設けられているので、突条部１７は奥行き方向のいずれかの位置でボックスカバー４１の開口４２の内周面４３に当接する。
【００４３】
このようにして、気密ボックス１を配線ボックス３１に取付けたら、感知器５１の器具枠５３に感知器本体５２を取付ける。これにより、図２に示すように、壁面６１への感知器５１及び気密ボックス１の取付けが完了する。なお、ボックスカバー４１が図３(a)に示す突出リング４８が形成された形態の場合も同様にして気密ボックス１を取付けることができる。この場合の壁面６１への感知器５１及び気密ボックス１の取付けが完了した状態を図３(b)に示す。
【００４４】
次に、本実施形態の気密ボックス１の作用を説明する。
気密ボックス１は、ボックス本体１１の周壁１２に、ボックスカバー４１の開口４２内における周壁１２の挿入位置を定める突条部１７が設けられているので、周壁１２をボックスカバー４１の開口４２に挿入する際に周壁１２は開口４２内において位置決めされる。その結果、気密ボックス１を作業性良くボックスカバー４１に組付けることができる。ここで、周壁１２は、ボックス本体１１の開口１４側から底壁１３側に向けて延びるように設けられているので、常に突条部１７をボックスカバー４１の開口４２の内周面４３に当接または近接させることができ、周壁１２を確実に位置決めすることができる。
【００４５】
また、気密ボックス１は、突条部１７が、ボックス本体１１の周壁１２の周方向の一部に形成された奥行き方向に延びる角部１６からなる剛性部の近傍に設けられているので、気密ボックス１をボックスカバー４１に組付ける時にフランジ部２１が撓み変形するのを防止することができる。
【００４６】
すなわち、周壁１２には位置決め手段としての突条部１７が設けられているが、ボックスカバー４１の開口４２は製造後の大きさにばらつきを生ずるため、突条部１７の突出長がボックスカバー４１の開口４２の直径の基準値に対応して設定し形成されている状態において、現物のボックスカバー４１の開口４２が少し小さめに形成されていると、突条部１７は開口４２内に強制的に押し込められ、開口４２の内周面４３によって内側に押圧されてボックス本体１１が大きく撓み変形し、フランジ部２１がゆがんだりする。しかし、本実施形態においては、突条部１７は周壁１２における剛性部の近傍に設けられているため、突条部１７を含む周縁部分は弾性的に変形するものの、剛性部の作用によって、突条部１７の変形による影響がフランジ部２１にまで及ぶのが回避される。その結果、気密ボックス１をボックスカバー４１に組付けるときにフランジ部２１が撓み変形するのを防止できる。これにより、壁表側面とフランジ部２１との間に隙間が生じるのを防ぐことができ、気密ボックス１による気密性が損なわれるのを回避できる。
【００４７】
ところで、上記実施形態の突条部１７は、周壁１２の外面から断面円弧状に突出して設けられているが、本発明を実施する場合には、これに限られるものではなく、例えば、図８に示すように、突条部１７の両側面が周壁１２の外面と接続する両側の部分に突条部１７の全長に至って円弧状の凹溝１８を形成するとともに、周壁１２における突条部１７と反対側の内面に一定深さの平面状の凹み部１９を形成することによってこの部分における周壁１２の肉厚が小さくなっているものに形成してもよい。
【００４８】
この場合、突条部１７は外側から押圧力を受けると、内側に撓み易い。したがって、この突条部１７は、比較的小さい外力で内側に撓み変形し後退するので、その撓み変形がフランジ部２１に波及する影響力は小さくなる。このため、フランジ部２１が撓み変形するのをより回避することができる。円弧状の凹溝１８及び一定深さの平面状の凹み部１９は、ボックスカバー４１の開口４２の内周面４３に圧接されて突条部１７の外方への突出長が短縮される方向に変位する請求項の脆弱部を構成する。
【００４９】
また、上記実施形態の剛性部は、周壁１２の角部１６を利用しこの部分で形成しているが、図９及び図１０に示すように、角部１６から離間した部分に断面コ字状の補強リブ２０などの肉厚部分を設けることにより角部１６と関連しない箇所に別途に形成してもよい。なお、図９及び図１０に示すものは、補強リブ２０を２本平行に周壁１２の奥行き方向に形成している。但し、補強リブ２０はこれらのいずれか一方のみを形成してもよい。
【００５０】
そして、それに関連して、剛性部としての２本の補強リブ２０の中間部分に突条部１７を設けてもよい。但し、この場合、突条部１７は、２本の補強リブ２０からなる剛性部の極く近傍に設けられているので、図７に示した中実の円弧状のものでは内側に撓み変形しにくい。したがって、内側に撓み変形させて後退し易くするために、突条部１７は、図１０(b)に示すように、内部を中空にし両側面を薄肉に形成している。この内部が中空に形成され、両側面が薄肉に形成されている部分は、請求項の脆弱部を構成する。
【００５１】
加えて、上記実施形態のボックス本体１１の周壁１２の突条部１７は、ボックスカバー４１の開口４２の直径における製造上のばらつきの基準値に対応して突出長を設定し形成しているが、必ずしもこれに限定されるものではなく、前記ばらつきの最大値等に対応して突出長を設定し形成するのを妨げるものではない。
【００５２】
更に、突条部１７がボックスカバー４１の開口４２の内周面４３に押圧されて内側に撓み変形するとき、フランジ部２１において自由端である外周縁部は、部位的に、撓み変形し易い。そこで、より安定してその部分の変形を抑えるため、フランジ部２１への器具枠５３の取付け等に支障がなければ、図１１に示すように、フランジ部２１のボックス本体１１と反対側の面において剛性部の角部１６と対応する位置に周方向に沿って所定長さの補強用のリブ２６を設けてもよい。
【００５３】
加えて、上記実施形態の突条部１７は、外形が円弧状等に形成されているが、これらの形状に限られるものではない。
また、上記実施形態の気密ボックス１は、ボックス本体１１の周壁１２が、上下の平行面と左右両側の円弧面とからなる形状に形成され、フランジ部２１が、円形のリング板状に形成されているが、これらの形状に限られるものではなく、周壁１２が円筒形状、四角筒形状等に形成されたり、フランジ部２１が矩形の外形をなすものであってもよい。
【００５４】
なお、上記実施形態では、壁面６１に感知器５１を設置するものを例示しているが、本発明は、配線スイッチ等の配線器具などを壁面６１に設置する場合も同様に適用される。
また、上記実施形態では、壁裏の配線ボックス３１にボックスカバー４１が取付けられたものを示しているが、ボックスカバー４１が取付けられておらず壁裏面に直接取付けられる配線ボックス３１などにも同様に適用される。
更に、上記実施形態では、気密ボックス１の周壁１２が底壁１３側から挿入されて収容される収容体として配線ボックス３１及びボックスカバー４１を例示しているが、収容体は、これらのボックス等に限られず、壁に形成された貫通孔であってもよい。この場合の被挿入口は、壁の貫通孔の開口である。
【符号の説明】
【００５５】
１  気密ボックス                     １９  凹み部（脆弱部）
１１  ボックス本体                     ２０  補強リブ（剛性部）
１２  周壁                             ２１  フランジ部
１３  底壁                             ３１  配線ボックス（収容体）
１４  開口                             ４１  ボックスカバー（収容体）
１６  角部（剛性部）                   ４２  開口（被挿入口）
１７  突条部                           ４３  内周面
１８  凹溝（脆弱部）
【図１】
0006543432.tif 000002
【図２】
0006543432.tif 000003
【図３】
0006543432.tif 000004
【図４】
0006543432.tif 000005
【図５】
0006543432.tif 000006
【図６】
0006543432.tif 000007
【図７】
0006543432.tif 000008
【図８】
0006543432.tif 000009
【図９】
0006543432.tif 000010
【図１０】
0006543432.tif 000011
【図１１】
0006543432.tif 000012